(57)【特許請求の範囲】
【請求項１】
バーナで加熱される風呂熱交換器と、浴槽から風呂熱交換器へ至る戻り通路および風呂熱交換器から浴槽へ至る往き通路を有し、途中にポンプを接続した浴槽水の循環系路と、浴槽水の温度を検出する風呂センサと、浴槽水の温度を設定する外部入力装置と、前記風呂センサで検出した浴槽水温度が外部入力装置で設定された温度よりも低い場合に、前記ポンプで循環される浴槽水を風呂熱交換器で設定温度まで加熱する浴槽水保温手段と、この浴槽水保温手段による浴槽水保温動作開始時の浴槽水温度と浴槽水保温動作後の浴槽水温度（設定温度）との温度差を記憶する記憶手段とを具備し、前段の浴槽水保温動作の際の温度差と次段の浴槽水保温動作の際の温度差とを比較して、その後の浴槽水保温手段の保温動作を開始する時間間隔を次の（１）、（２）ように可変するようにした風呂給湯器。
（１）前段の浴槽水保温動作の際の温度差よりも次段の浴槽水保温動作の際の温度差が小さいとき・・・時間間隔を大きくする。
（２）前段の浴槽水保温動作の際の温度差よりも次段の浴槽水保温動作の際の温度差が大きいとき・・・時間間隔を小さくする。
【発明の詳細な説明】
【０００１】
【発明の属する技術分野】
本発明は、浴槽へのお湯張りと風呂の追焚きのできる風呂給湯器に関するものである。
【０００２】
【従来の技術】
従来の風呂給湯器は図２に示すような構成になっていた。
【０００３】
水は水入口より水量センサ１、水温センサ２を通り、給湯熱交換器３で熱を吸収して、給湯センサ４、給湯水量制御弁５を通り、湯出口より放出される。ガスはガス入口より給湯元電磁弁６、ガスの給湯比例弁７を通り、給湯バーナ８で燃焼される。
【０００４】
浴槽へのお湯はりはお湯張り手段２５により、給湯熱交換器３で外部入力装置２４の設定温度に加熱されたお湯を給湯電磁弁２０から往き通路１２および風呂の戻り通路１３を通って、風呂接続アダプタ１９から浴槽に入る。
【０００５】
浴槽水保温手段２７が行う浴槽水の保温動作は保温開始手段２８により常に一定時間の間隔で開始され、浴槽水保温手段２７により、浴槽水を風呂接続アダプタ１９、戻り通路１３、水位センサ１４、切替え３方弁１５、風呂センサ９、水流スイッチ１０、風呂熱交換器１１、往き通路１２、風呂接続アダプタ１９と循環ポンプ２２により循環する。
【０００６】
そして、風呂センサ９で検出する湯温が外部入力装置２４の設定温度より低下している場合には、ガスがガスの風呂元電磁弁１６、風呂比例弁１７を通り、風呂バーナ１８で燃焼し、風呂熱交換器１１で熱を吸収して、外部入力装置２４の設定温度まで浴槽水の追焚きを行う。
【０００７】
【発明が解決しようとする課題】
しかしながら、従来の風呂給湯器では、一定時間の間隔で循環ポンプを動作させ浴槽水の温度を調べて保温を行うため、もし短時間の間隔で保温を行うと必要のない場合にも温度を調べるために循環ポンプ２２が動くので不経済であり、また長時間の間隔で保温を行うと保温動作の待機途中で入浴時に浴槽のお湯がさめてしまい使い勝手が悪いという課題を有していた。
【０００８】
【課題を解決するための手段】
上記課題を解決するために本発明の風呂給湯器は、バーナで加熱される風呂熱交換器と、浴槽から風呂熱交換器へ至る戻り通路および風呂熱交換器から浴槽へ至る往き通路を有し、途中にポンプを接続した浴槽水の循環系路と、浴槽水の温度を検出する風呂センサと、浴槽水の温度を設定する外部入力装置と、前記風呂センサで検出した浴槽水温度が外部入力装置で設定された温度よりも低い場合に、前記ポンプで循環される浴槽水を風呂熱交換器で設定温度まで加熱する浴槽水保温手段と、この浴槽水保温手段による浴槽水保温動作開始時の浴槽水温度と浴槽水保温動作後の浴槽水温度（設定温度）との温度差を記憶する記憶手段とを具備し、前段の浴槽水保温動作の際の温度差と次段の浴槽水保温動作の際の温度差とを比較して、その後の浴槽水保温手段の保温動作を開始する時間間隔を次の（１）、（２）ように可変するようにした風呂給湯器。
【０００９】
（１）前段の浴槽水保温動作の際の温度差よりも次段の浴槽水保温動作の際の温度差が小さいとき・・・時間間隔を大きくする。
【００１０】
（２）前段の浴槽水保温動作の際の温度差よりも次段の浴槽水保温動作の際の温度差が大きいとき・・・時間間隔を小さくする。
【００１１】
したがって、保温開始手段によって浴槽水の温度低下に応じて浴槽水の保温動作を行う時間間隔を変更できるため、浴槽水の温度が下がりやすい冬には短時間の間隔で保温を行い、浴槽水の温度が下がりにくい夏には長時間の間隔で保温を行えるので、経済的であり、保温動作の待機途中で入浴時に浴槽のお湯が余りさめないので使い勝手が良い。
【００１２】
【発明の実施の形態】
本発明は、、バーナで加熱される風呂熱交換器と、浴槽から風呂熱交換器へ至る戻り通路および風呂熱交換器から浴槽へ至る往き通路を有し、途中にポンプを接続した浴槽水の循環系路と、浴槽水の温度を検出する風呂センサと、浴槽水の温度を設定する外部入力装置と、前記風呂センサで検出した浴槽水温度が外部入力装置で設定された温度よりも低い場合に、前記ポンプで循環される浴槽水を風呂熱交換器で設定温度まで加熱する浴槽水保温手段と、この浴槽水保温手段による浴槽水保温動作開始時の浴槽水温度と浴槽水保温動作後の浴槽水温度（設定温度）との温度差を記憶する記憶手段とを具備し、前段の浴槽水保温動作の際の温度差と次段の浴槽水保温動作の際の温度差とを比較して、その後の浴槽水保温手段の保温動作を開始する時間間隔を次の（１）、（２）ように可変するようにした風呂給湯器。
【００１３】
（１）前段の浴槽水保温動作の際の温度差よりも次段の浴槽水保温動作の際の温度差が小さいとき・・・時間間隔を大きくする。
【００１４】
（２）前段の浴槽水保温動作の際の温度差よりも次段の浴槽水保温動作の際の温度差が大きいとき・・・時間間隔を小さくする。
【００１５】
【実施例】
以下、本発明の実施例について図面を用いて説明する。
【００１６】
（実施例１）
図１は本発明の実施例１を示し、水は水入口より水量センサ１、水温センサ２を通り、給湯熱交換器３で熱を吸収して、給湯センサ４、給湯水量制御弁５を通り、湯出口より放出される。ガスはガス入口より給湯元電磁弁６、ガスの給湯比例弁７を通り、給湯バーナ８で燃焼される。
【００１７】
浴槽へのお湯はりはお湯張り手段２５により、給湯熱交換器３で外部入力装置２４の設定温度に加熱されたお湯を給湯電磁弁２０から往き通路１２および風呂の戻り通路１３を通って、風呂接続アダプタ１９から浴槽に入る。
【００１８】
浴槽水保温手段２７により浴槽水を風呂接続アダプタ１９、戻り通路１３、水位センサ１４、切替え３方弁１５、風呂センサ９、水流スイッチ１０、風呂熱交換器１１、往き通路１２、風呂接続アダプタ１９と循環ポンプ２２により循環し、風呂センサ９で検出する湯温が外部入力装置２４の設定温度より低下している場合には、ガスがガスの風呂元電磁弁１６、風呂比例弁１７を通り、風呂バーナ１８で燃焼し、風呂熱交換器１１で熱を吸収して、外部入力装置２４の設定温度まで浴槽水の追焚きを行う。
【００１９】
浴槽水保温手段２７で浴槽水の保温動作をして温度が外部入力装置２４の設定温度４２℃になった場合、風呂熱交換器１１で加熱する前の風呂センサ９の温度が３８℃であればこの温度差４℃を記憶する。その３０分後に浴槽水保温手段２７で浴槽水を再び保温動作して温度が外部入力装置２４の設定温度４２℃になった場合に、風呂熱交換器１１で加熱する前の風呂センサ９の温度が３６℃であればこの温度差は６℃である。
【００２０】
この温度差６℃の値は前回の温度差の記憶値４℃と比べて大きいので前回よりも浴槽の湯温が速く下がっていると考えられるため、保温開始手段２６が次回の浴槽水保温手段２７の保温動作を開始する時間間隔を例えば２０分後と１０分の所定時間だけ短くする。
【００２１】
また、３０分後に浴槽水保温手段２７で浴槽水の保温動作をして温度が外部入力装置２４の設定温度４２℃になった場合に、風呂熱交換器１１で加熱する前の風呂センサ９の温度が４０℃であればこの温度差は２℃であり、前回の温度差の記憶値４℃と比べて小さいので前回よりも浴槽の湯温が下がっていないと考えられるため、保温開始手段２６が次回の浴槽水保温手段２７の保温動作を開始する時間間隔を例えば４０分後と１０分の所定時間だけ長くする。
【００２２】
さらに、異なる時間制御のケースとして、保温開始手段２６の浴槽水保温手段２７で浴槽水の保温動作をして温度が外部入力装置２４の設定温度４２℃になった場合、風呂熱交換器１１で加熱する前の風呂センサ９の温度が３８℃であればこの温度差４℃を記憶する。その３０分後に浴槽水保温手段２７で浴槽水の保温動作をして温度が外部入力装置２４の設定温度４２℃になった場合に、風呂熱交換器１１で加熱する前の風呂センサ９の温度が３６℃であればこの温度差は６℃であり、前回の温度差の記憶値４℃と比べて２℃大きいので、前回よりも浴槽の湯温が速く下がっていると考えられるため、保温開始手段２６は次回の浴槽水保温手段２７の保温動作を開始する時間間隔を１℃あたり５分と比例計算して、時間間隔を１０分短くして２０分後とする。
【００２３】
また、３０分後に浴槽水保温手段２７で浴槽水の保温動作をして温度が外部入力装置２４の設定温度４２℃になった場合に、風呂熱交換器１１で加熱する前の風呂センサ９の温度が３９℃であればこの温度差は３℃であり、前回の温度差の記憶値４℃と比べて小さいので前回よりも浴槽の湯温が下がっていないと考えられるため、保温開始手段２６は次回の浴槽水保温手段２７の保温動作を開始する時間間隔を１℃あたり１０分と比例計算し、分長くして４０分後と長くする。
【００２４】
上記実施例によれば、浴槽水の温度低下に応じて浴槽水の保温を行う間隔を変更できるため、浴槽水の温度が下がりやすい冬には短時間の間隔で保温を行い、浴槽水の温度が下がりにくい夏には長時間の間隔で保温を行えるので、経済的であり、保温動作の待機途中で入浴時に浴槽のお湯が余りさめないので使い勝手が良い。
【００２５】
【発明の効果】
以上のように、本発明の風呂給湯器は、保温開始手段によって浴槽水の温度低下に応じて浴槽水の保温動作を行う時間間隔を変更できるため、保温動作の待機途中で入浴時に浴槽のお湯が余りさめないので使い勝手が良いという効果を有する。
【図面の簡単な説明】
【図１】  本発明の実施例１の風呂給湯機の構成図
【図２】  従来の風呂給湯機の構成図
【符号の説明】
９  風呂センサ
１１  風呂熱交換器
１２  往き通路
１３  戻り通路
１８  風呂バーナ
２２  循環ポンプ
２４  外部入力装置
２６  保温開始手段
２７  浴槽水保温手段
【図１】
0003845980.tif 000002
【図２】
0003845980.tif 000003